Podtech/llm-jp-corpus-v4-ja_patent huggingface dataset:
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
脂肪組織由来間質幹細胞を含有する組成物であって、該組成物を構成する脂肪組織由来間質幹細胞の少なくとも約５０％が、ＣＤ９、ＣＤ１０、ＣＤ１３、ＣＤ２９、ＣＤ４４、ＣＤ４９Ａ、ＣＤ５１、ＣＤ５４、ＣＤ５５、ＣＤ５８、ＣＤ５９、ＣＤ９０およびＣＤ１０５マーカーを発現するものである、脂肪組織由来間質幹細胞含有組成物。
【請求項２】
前記組成物を構成する脂肪組織由来間質幹細胞の約５％未満が、ＣＤ３４  ＣＤ１１ｂ、ＣＤ１４、ＣＤ１５、ＣＤ１６、ＣＤ３１、ＣＤ３４、ＣＤ４５、ＣＤ４９ｆ、ＣＤ１０２、ＣＤ１０４、ＣＤ１０６および/またはＣＤ１３３マーカーを発現するものである、請求項１に記載の脂肪組織由来間質幹細胞含有組成物。
【請求項３】
前記組成物を構成する脂肪組織由来間質幹細胞の濃度が少なくとも約１０ｘ１０６細胞／ｍＬである、請求項１に記載の脂肪組織由来間質幹細胞含有組成物。
【請求項４】
接着剤をさらに含んでなる、請求項１に記載の脂肪組織由来間質幹細胞含有組成物。
【請求項５】
請求項１に記載の脂肪組織由来間質幹細胞含有組成物を製造する方法であって、
（ａ）被験体から脂肪組織を採取すること；（ｂ）酵素消化により細胞懸濁液を得ること；（ｃ）該細胞懸濁液を沈殿させ、脂肪組織由来間質幹細胞を培養培地に再懸濁すること；（ｄ）該脂肪組織由来間質幹細胞を少なくとも約１０日間培養すること；および（ｇ）該脂肪組織由来間質幹細胞を少なくとも２回継代することを含んでなる、方法。
【請求項６】
前記脂肪組織由来間質幹細胞を少なくとも３回継代することを含んでなる、請求項５に記載の方法。
【請求項７】
ｃ−Ｋｉｔ、ビメンチンおよびＣＤ９０マーカーを発現し、ＣＤ３４、第ＶIII因子、α−アクチン、デスミン、Ｓ−１００およびケラチンマーカーを発現しない、脂肪組織由来間質幹細胞。
【請求項８】
ＣＤ９、ＣＤ１０、ＣＤ１３、ＣＤ２９、ＣＤ４４、ＣＤ４９Ａ、ＣＤ５１、ＣＤ５４、ＣＤ５５、ＣＤ５８、ＣＤ５９  ＣＤ９０およびＣＤ１０５マーカーを発現し、ＣＤ３４ＣＤ１１ｂ、ＣＤ１４、ＣＤ１５、ＣＤ１６、ＣＤ３１、ＣＤ３４、ＣＤ４５、ＣＤ４９ｆ、ＣＤ１０２、ＣＤ１０４、ＣＤ１０６および/またはＣＤ１３３マーカーを発現しない、脂肪組織由来間質幹細胞。
【請求項９】
脂肪組織由来間質幹細胞を含んでなる、被験体における瘻を治療するための医薬組成物。
【請求項１０】
前記脂肪組織由来間質幹細胞が治療を受ける被験体の脂肪組織に由来するものである、請求項９に記載の医薬組成物。
【請求項１１】
前記脂肪組織由来間質幹細胞が、請求項１〜４、７および８のいずれか一項に記載の脂肪組織由来間質幹細胞含有組成物である、請求項９に記載の医薬組成物。
【請求項１２】
少なくとも約１０ｘ１０６の脂肪組織由来間質幹細胞を含んでなる、請求項９に記載の医薬組成物。
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ＤＭＴ変調を使用するベクトル化ＤＳＬシステムで複数の回線のためビットをロードする方法であって、
各トーンの回線オーダリングと、
各回線の送信信号のパワースペクトル密度と、
各回線の信号のビット配分との内２つ以上を逐次繰り返し決定することを備える、方法。
【請求項２】
前記回線オーダリングを決定することは、ベクトル化ＤＳＬ受信器の各トーンにつき前記複数の回線の復号化オーダーを決定すること、またはベクトル化ＤＳＬ送信器の各トーンにつき前記複数の回線のプリコーディングオーダーを決定することの内少なくとも一方を備える、請求項１に記載の方法。
【請求項３】
前記回線オーダリングを決定することは、前記複数の回線の全回線上で全トーンにつき同じ回線オーダリングを決定すること、または各トーンにつき前記複数の回線の各回線につき個別のオーダリングを決定することの内少なくとも一方を備え、ここで回線の前記オーダリングは同じでなくともよい、請求項１に記載の方法。
【請求項４】
前記方法は、前記複数の回線の全回線の初期化、または前記複数の回線の全回線の平常作動、または前記複数の回線の内少なくとも１つの回線が平常作動にあり且つ前記複数の回線の内少なくとも１つの回線が初期化にある期間の内、少なくとも１つの段階で使用される、請求項１に記載の方法。
【請求項５】
前記回線オーダリングを決定することはオーダースワッピングを備え、該オーダースワッピングは、
第１の初期位置へ第１の回線を割り当てることと、
第２の初期位置へ第２の回線を割り当てることと、
前記第２の初期位置へ前記第１の回線を移動することと、
前記第１の初期位置へ前記第２の回線を移動することと、
を備える、請求項１に記載の方法。
【請求項６】
前記第１の回線を移動することと前記第２の回線を移動することとは、前記割り当てられた第１の回線及び第２の回線位置を用いてベクトル化ＤＳＬシステムの性能を評価した後に遂行される、請求項５に記載の方法。
【請求項７】
前記複数の回線は、
平常作動中の前記ベクトル化ＤＳＬシステムの少なくとも１つの回線と、
初期化されている前記ベクトル化ＤＳＬシステムの少なくとも１つの回線と、
を備える、請求項１に記載の方法。
【請求項８】
前記回線オーダリングを繰り返し決定することは、
初めに、初期化中の少なくとも１つの回線へ、前記ベクトル化ＤＳＬシステムの前記複数の回線の内１つ以上の他の回線の性能をある程度左右するオーダリング位置を割り当てことと、
前記ベクトル化ＤＳＬシステムで所望の性能変化を達成するため前記回線のオーダリングを調整することと、
を備える、請求項７に記載の方法。
【請求項９】
前記方法はアップストリームＤＳＬ送信に適用され、
さらにここで前記方法は、１組のユーザデータレートで加重エネルギー総和を最小化する問題を解決することを備えるアップストリームパワースペクトル密度決定を遂行することを備える、請求項１に記載の方法。
【請求項１０】
前記方法はアップストリームＤＳＬ送信に適用され、
さらにここで前記方法は、エネルギーベクトル制約を満たしつつ１組のユーザデータレートを達成する問題を解決することを備えるアップストリームパワースペクトル密度決定を遂行することを備える、請求項１に記載の方法。
【請求項１１】
前記方法はダウンストリームＤＳＬ送信に適用され、
さらにここで前記方法は、ブロードキャストチャネルとこれに対応する多重アクセスチャネルとの双対性に基づく双対性方法を、ユーザデータレートの総和を最大化する繰り返し注水方法とともに使用することを備えるダウンストリームパワースペクトル密度決定を遂行することを備える、請求項１に記載の方法。
【請求項１２】
前記回線オーダリングは、ユーザのオーダリングにつき一つ以上のプレコーディング及び復号化で関係する制御パラメータの少なくとも一部に基づき決定される、請求項１に記載の方法。
【請求項１３】
ＤＭＴ変調を使用するベクトル化ＤＳＬシステムであって、
各トーンの回線オーダリングと、
各回線の送信信号のパワースペクトル密度と、
各回線の信号のビット配分との内２つ以上を逐次繰り返し決定する手段を備える、システム。
【請求項１４】
前記回線オーダリングを決定する手段は、ベクトル化ＤＳＬ受信器の各トーンにつき前記複数の回線の復号化オーダーを決定する手段、またはベクトル化ＤＳＬ送信器の各トーンにつき前記複数の回線のプリコーディングオーダーを決定する手段の内少なくとも一方を備える、請求項１３に記載のシステム。
【請求項１５】
前記回線オーダリングを決定する手段は、前記複数の回線の全回線上で全トーンにつき同じ回線オーダリングを決定する手段、または各トーンにつき前記複数の回線の各回線につき個別のオーダリングを決定する手段の内少なくとも一方を備え、ここで回線の前記オーダリングは同じでなくともよい、請求項１３に記載のシステム。
【請求項１６】
前記システムは、前記複数の回線の全回線の初期化、または前記複数の回線の全回線の平常作動、または前記複数の回線の内少なくとも１つの回線が平常作動にあり且つ前記複数の回線の内少なくとも１つの回線が初期化にある期間の内、少なくとも１つの段階で使用される、請求項１３に記載のシステム。
【手続補正書】
【提出日】平成21年5月27日(2009.5.27)
【手続補正１】
【補正対象書類名】明細書
【補正対象項目名】００６５
【補正方法】変更
【補正の内容】
【００６５】
第１の群の各スイッチ３１０〜３１３および３１８〜３２１は、入来データパケットの仮想サブネットワークに対する割当を、それらパケットが到着する入力／出力ポートに依って行なうよう構成される。図示される実現例では、第１のノード（node0）から来るデータパケットは入力／出力ポート３１０／０に到着し第１の仮想サブネットワークに割当てられる。第２のノード（node1）から来るデータパケットは入力／出力ポート３１０／１に到着し第２の仮想サブネットワークに割当てられる。第３のノード（node2）から来るデータパケットは入力／出力ポート３１０／２に到着し第３の仮想サブネットワークに割当てられる。第４のノード（node3）から来るデータパケットは入力／出力ポート３１０／３に到着し第４の仮想サブネットワークに割当てられる。第５のノード（node4）から来るデータパケットは入力／出力ポート３１１／０に到着し第１の仮想サブネットワークに再び割当てられる。この記載から明らかなように、入来データパケットは、データパケットが到着する入力／出力インターフェイスに対向して描かれる入力／出力インターフェイスが属する仮想データネットワークに割当てられる。２つの異なるノード間の双方向通信は方向ごとの異なる仮想サブネットワークであってもよいことが認められるべきである。
【手続補正書】
【提出日】平成21年6月3日(2009.6.3)
【手続補正１】
【補正対象書類名】特許請求の範囲
【補正対象項目名】請求項３
【補正方法】変更
【補正の内容】
【請求項３】
前記複数ジャッキは滑りジョイントを介して前記複数プランジャに連結されていることを特徴とする請求項２に記載の導波管における自動インピーダンスアダプタ。
【手続補正２】
【補正対象書類名】特許請求の範囲
【補正対象項目名】請求項５
【補正方法】変更
【補正の内容】
【請求項５】
前記２プランジャは少なくとも１つの前記プランジャの一般断面より小さい断面部分を有することを特徴とする請求項４に記載の導波管における自動インピーダンスアダプタ。
【手続補正３】
【補正対象書類名】特許請求の範囲
【補正対象項目名】請求項９
【補正方法】変更
【補正の内容】
【請求項９】
前記複数ブランジャ/前記１のプランジャは前記複数プランジャの一般断面より小さい２の断面部分をもつことを特徴とする請求項８に記載の導波管における自動インピーダンスアダプタ。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
通信回線に使用される端子箱であって、
対向する上部壁及び下部壁及び対向する終端壁、並びに該上部壁及び下部壁及び終端壁の間に拡がる背部壁を含むベースであって、実質的に中空のコアを定める成型された二重壁構造を含むベースと、
少なくとも１つの対向する終端壁の一部が、通信回線ポートを形成する圧縮された二重壁領域を定める、上部壁に可動的に連結された蓋と、を含む端子箱にして、
前記圧縮された二重壁の領域が、通信回線ポートを形成する、単一の厚みの壁又は２倍の厚みの壁である、端子箱。
【請求項２】
前記圧縮された二重壁の領域が、密封された通信回線ポートを形成する、請求項１に記載の端子箱。
【請求項３】
前記ベースは、少なくとも１つの通気口を備え、
該少なくとも１つの通気口は、ベースから伸びる大略半球形の突起を含み、
該半球形の突起の少なくとも一部は、ベース内への通気口を形成するために開口するように構成されており、
更に、前記開口部の上に配置されたスクリーンを含み、
該スクリーンは、蓋が閉位置においてベースに連結されたとき、飛散物や水性流体が端子箱に入るのを妨げるように構成されている、請求項１に記載の端子箱。
【請求項４】
前記ベースは、少なくとも１つの通気口を備え、
該少なくとも１つの通気口は、ベースから伸びる半球形の突起を含み、
該半球形の突起は、ベース内への通気口をなす開口を形成する、請求項１に記載の端子箱。
【請求項５】
ベースの対向する終端壁の少なくとも１つから伸びるベースタブと、
蓋の縁部から伸びる蓋タブと、を更に含み、
閉位置において、蓋がベースに連結され、蓋タブがベースタブに可動的に連結される、請求項１に記載の端子箱。
【手続補正書】
【提出日】平成21年7月7日(2009.7.7)
【手続補正１】
【補正対象書類名】明細書
【補正対象項目名】００５２
【補正方法】変更
【補正の内容】
【００５２】
グラム環状巻構造の例は、ＷｉｌｌｉａｍｓおよびＨａｒｔｅに交付された、「Ｔｒａ
ｖｅｌｌｉｎｇ  Ｆｉｅｌｄ  Ｅｌｅｃｔｒｉｃ  Ｍｏｔｏｒ  ｗｉｔｈ  Ｉｍｐｒｏｖ
ｅｄ  Ｓｔａｔｏｒ」と題され、その全開示がこの参照によって本明細書内に組み込まれ
る米国特許第３，８７５，４８４号明細書に開示されている。
この出願の発明に関連する先行技術文献情報としては、以下のものがある（国際出願日以降国際段階で引用された文献及び他国に国内移行した際に引用された文献を含む）。
【先行技術文献】 
【特許文献】
【特許文献１】
米国特許第２９３，７５８号明細書
【特許文献２】
米国特許第３３９，７７２号明細書
【特許文献３】
米国特許第３４２，５８７号明細書
【特許文献４】
米国特許第３４２，５８８号明細書
【特許文献５】
米国特許第３４２，５８９号明細書
【特許文献６】
米国特許第３５１，９０２号明細書
【特許文献７】
米国特許第３５１，９０３号明細書
【特許文献８】
米国特許第３５１，９０４号明細書
【特許文献９】
米国特許第３５１，９０７号明細書
【特許文献１０】
米国特許第３５２，２３４号明細書
【特許文献１１】
米国特許第４０６，９６８号明細書
【特許文献１２】
米国特許第３９６，１４９号明細書
【特許文献１３】
米国特許第４００，８３８号明細書
【特許文献１４】
米国特許第５１５，８８２号明細書
【特許文献１５】
米国特許第５２３，９９８号明細書
【特許文献１６】
米国特許第５６１，８０３号明細書
【特許文献１７】
米国特許第６４５，９４３号明細書
【特許文献１８】
米国特許第６７８，１５７号明細書
【特許文献１９】
米国特許第７４２，６００号明細書
【特許文献２０】
米国特許第７８９，４４４号明細書
【特許文献２１】
米国特許第８０５，３１５号明細書
【特許文献２２】
米国特許第８２６，６６８号明細書
【特許文献２３】
米国特許第８３２，７４２号明細書
【特許文献２４】
米国特許第８５４，７５６号明細書
【特許文献２５】
米国特許第８５９，３５０号明細書
【特許文献２６】
米国特許第３，２２９，１３３号明細書
【特許文献２７】
米国特許第３，４６５，１８７号明細書
【特許文献２８】
米国特許第４，０９７，７５８号明細書
【特許文献２９】
米国特許第４，５１４，６５３号明細書
【特許文献３０】
米国特許第５，２４１，２３２号明細書
【特許文献３１】
米国特許第５，５８７，６１８号明細書
【特許文献３２】
米国特許第５，２７８，４７０号明細書
【特許文献３３】
米国特許第５，４５１，８２５号明細書
【特許文献３４】
米国特許第５，９７７，６８４号明細書
【特許文献３５】
米国特許第３，８７５，４８４明細書
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
複数の画素であって少なくとも２つの画素がそれぞれ
（ａ）入射光を変換して電荷を集めるフォトディテクタと、
（ｂ）前記フォトディテクタに接続される電荷−電圧変換領域と、
（ｃ）前記フォトディテクタから前記電荷−電圧変換領域に電荷を転送するための電荷転送ゲートと、
（ｄ）増幅器と、
（ｅ）少なくとも２つの画素の前記電荷−電圧変換領域同士を選択的に接続するための少なくとも１つのスイッチと、前記フォトディテクタの電荷を集め、電圧信号を前記増幅器に与える前記電荷−電圧変換領域同士を前記スイッチにより接続させるための手段と、
を備えることを特徴とするイメージセンサ。
【請求項２】
請求項１に記載のイメージセンサであって、
前記スイッチはトランジスタであることを特徴とするイメージセンサ。
【請求項３】
請求項１に記載のイメージセンサであって、
前記複数の画素は行方向および列方向に配列され、
前記スイッチは隣接する行の画素の電荷−電圧変換領域を選択的に接続することを特徴とするイメージセンサ。
【請求項４】
請求項１に記載のイメージセンサであって、
前記スイッチは、前記電荷−電圧変換領域の所望の静電容量を形成する機能、または隣接するフォトディテクタから放出される電荷を結合する手段となる機能の両方もしくはいずれかを果たすことを特徴とするイメージセンサ。
【請求項５】
請求項１に記載のイメージセンサであって、
前記スイッチは前記電荷−電圧変換領域の所望の静電容量を形成する機能を果たすことを特徴とするイメージセンサ。
【請求項６】
請求項１に記載のイメージセンサであって、
前記スイッチは隣接するフォトディテクタから放出される電荷を結合する手段となる機能を果たすことを特徴とするイメージセンサ。
【請求項７】
イメージセンサを備えたカメラであって、
前記イメージセンサは、
複数の画素であって少なくとも２つの画素がそれぞれ
（ａ）入射光を変換して電荷を集めるフォトディテクタと、
（ｂ）前記フォトディテクタに接続される電荷−電圧変換領域と、
（ｃ）前記フォトディテクタから前記電荷−電圧変換領域に電荷を転送するための電荷転送ゲートと、
（ｄ）増幅器と、
（ｅ）少なくとも２つの画素の前記電荷−電圧変換領域同士を選択的に接続するための少なくとも１つのスイッチと、前記フォトディテクタの電荷を集め、電圧信号を前記増幅器に与える前記電荷−電圧変換領域同士を前記スイッチにより接続させるための手段と、
を備えることを特徴とするカメラ。
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
予め選択された、増殖因子又はシグナル伝達タンパク質を含むパネル中の２つ以上の発現腫瘍関連抗原（ＴｕＡＡ）に関して患者の腫瘍組織をアッセイし、当該腫瘍に関する抗原プロファイルを構築する工程、及び
前記プロファイルに基づいて、プロファイル中の１つ又は複数の発現腫瘍関連抗原を標的とする、前記患者に対する免疫療法物質を選択する工程
を包含する、患者における癌の状態と免疫療法物質とを適合させる方法。
【請求項２】
ＴｕＡＡのうちの少なくとも１つが癌精巣抗原、組織特異的抗原、癌胎児性抗原、分化抗原、増殖因子、増殖因子受容体、接着因子、シグナル伝達タンパク質、転写因子、癌遺伝子産物、腫瘍抑制遺伝子産物及び微生物抗原から成る群から選択される、請求項１記載の方法。
【請求項３】
予め選択されたパネルがＳＳＸタンパク質、ＳＳＸ−２、ＳＳＸ−４、ＭＡＧＥタンパク質、ＭＡＧＥ−１、ＭＡＧＥ−３、ＰＲＡＭＥ、ＮＹ−ＥＳＯ−１、ＬＡＧＥ、ＰＳＭＡ、ＰＳＣＡ、ＳＣＰ−１、Ｍｅｌａｎ−Ａ／ＭＡＲＴ−１及びチロシナーゼから成る群から選択される２つ以上の抗原を含み、前記癌の状態が癌腫である、請求項１又は２記載の方法。
【請求項４】
癌腫が乳房、結腸直腸、前立腺、膵臓、肺、卵巣、腎細胞、食道、頭部及び頚部並びにメラノサイトから成る群から選択される、請求項３記載の方法。
【請求項５】
免疫療法物質が能動免疫療法薬である、請求項１〜４のいずれか１項に記載の方法。
【請求項６】
免疫療法物質が少なくとも１つの発現ＴｕＡＡ中の、少なくとも１つのセグメントを含むか又はコードする、請求項１〜４のいずれか１項に記載の方法。
【請求項７】
免疫療法物質が受動免疫療法薬である、請求項１〜４のいずれか１項に記載の方法。
【請求項８】
前記免疫療法物質がモノクローナル抗体である、請求項７記載の方法。
【請求項９】
疾患の経過中の異なる時点で実行され、比較情報が得られる少なくとも２つのアッセイ工
程を含む、請求項１〜８のいずれか１項に記載の方法。
【請求項１０】
得られた情報が治療を実施、修正、又は中止するために用いられる、請求項９記載の方法。
【請求項１１】
前記腫瘍がメラノーマであり、ＴｕＡＡのパネルがチロシナーゼ、Ｍｅｌａｎ−Ａ／ＭＡＲＴ−１、ＮＹ−ＥＳＯ−１、ＰＲＡＭＥ、ＳＳＸタンパク質及びＭＡＧＥタンパク質から成る群から選択される少なくとも２つのＴｕＡＡを含む、請求項１〜１０のいずれか１項に記載の方法。
【請求項１２】
前記腫瘍が結腸直腸癌であり、ＴｕＡＡのパネルがＣＥＡ、ＳＳＸタンパク質、ＰＲＡＭＥ、ＮＹ−ＥＳＯ、ＬＡＧＥ、ＰＳＣＡ、ＳＣＰ−１、ＰＳＭＡ及びＭＡＧＥタンパク質から成る群から選択される少なくとも２つのＴｕＡＡを含む、請求項１〜１０のいずれか１項に記載の方法。
【請求項１３】
抗原発現がＲＴ−ＰＣＲ、転写物決定、タンパク質決定、エピトープ決定又はその任意の組合せのうちの少なくとも１つを含む手法により検出される、請求項１〜１２のいずれか１項に記載の方法。
【請求項１４】
抗原発現が腫瘍細胞又は腫瘍関連間質細胞あるいはその両方で検出される、請求項１〜１２のいずれか１項に記載の方法。
【請求項１５】
前記腫瘍関連間質細胞が新血管系である、請求項１４記載の方法。
【請求項１６】
前記新血管系関連抗原がＰＳＭＡであり、腫瘍細胞の抗原がＮＹ−ＥＳＯ−１、ＳＳＸ−２、ＬＡＧＥ及びＰＲＡＭＥから成る群から選択される、請求項１５記載の方法。
【請求項１７】
前記腫瘍組織が原発性腫瘍組織を含む、請求項１〜１６のいずれか１項に記載の方法。
【請求項１８】
前記腫瘍組織が転移性腫瘍組織を含む、請求項１〜１７のいずれか１項に記載の方法。
【請求項１９】
前記増殖因子がＶＥＧＦ−Ａである、請求項１〜１８のいずれか１項に記載の方法。
【請求項２０】
前記シグナル伝達タンパク質がＰＬＫ１である、請求項１〜１９のいずれか１項に記載の方法。
【請求項２１】
予め選択された、増殖因子又はシグナル伝達タンパク質を含むパネル中の２つ以上の発現腫瘍関連抗原（ＴｕＡＡ）に関して患者の腫瘍組織をアッセイし、当該腫瘍に関する抗原プロファイルを構築する工程、及び
前記プロファイルに基づいて、プロファイル中の２つ以上の発現腫瘍関連抗原を標的とする１つ又は複数の免疫療法薬の投与を含む免疫療法レジメンを選択する工程
を包含する、患者における癌の状態と免疫療法レジメンとを適合させる方法。
【請求項２２】
前記レジメンが能動免疫療法薬及び受動免疫療法薬をともに投与することを含む、請求項２１記載の方法。
【請求項２３】
前記増殖因子がＶＥＧＦ−Ａである、請求項２１又は２２記載の方法。
【請求項２４】
前記シグナル伝達タンパク質がＰＬＫ１である、請求項２１〜２３のいずれか１項に記載の方法。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
ＩＬ−６と、可溶性ＩＬ−６受容体（ｓＩＬ−６Ｒ）とを含む複合体、又はこの生物活性類似体、断片若しくは塩；
該複合体、又は該生物活性類似体若しくは該断片をコードする単離ポリヌクレオチド；
該単離ポリヌクレオチドを含む発現ベクター；或いは
該発現ベクターでトランスフェクトした宿主細胞を含む、腎不全を予防又は治療するための医薬組成物。
【請求項２】
前記ＩＬ−６とｓＩＬ−６Ｒとを含む複合体が、Ｈｙｐｅｒ−ＩＬ−６である、請求項１に記載の医薬組成物。
【請求項３】
前記腎不全が、急性腎不全、慢性腎不全、及び末期腎不全からなる群から選択される、請求項１又は２に記載の医薬組成物。
【請求項４】
前記急性腎不全が、抗生物質、抗真菌剤、放射性造影剤、造影剤、化学療法剤、金属、有機溶媒、及び四塩化炭素からなる群から選択される、薬剤物質、診断用物質、又は毒性物質の使用又はそれへの曝露から生じる、請求項３に記載の医薬組成物。
【請求項５】
前記急性腎不全が、ミオグロビン尿症横紋筋融解症、ヘモグロビン尿症、アテローム塞栓症、腎動脈閉塞、血管炎、溶血性尿毒症症候群、血栓溶解血小板減少性紫斑病、ヴェグナー肉芽腫症、全身性エリテマトーデス、ヘノッホ−シェーンライン紫斑病、グッドパスチャー症候群、急性糸球体腎炎、急性過敏性間質性腎炎、高カルシウム血症、尿路閉塞、急性尿酸腎症、腎盂腎炎、乳頭壊死、肝腎障害症候群、高血圧、細菌性敗血症、全身性炎症ショック、真菌血症、急性ウイルス性疾患、重度の体液量減少、火傷、虚血再灌流、産後合併症、及び外科的処置からなる群から選択される疾患、障害、又は状態から生じる、請求項３に記載の医薬組成物。
【請求項６】
前記発現ベクターが、裸ＤＮＡ分子、ＲＮＡ分子、プラスミド及びウイルスベクターからなる群から選択される、請求項１から５の何れか１項に記載の医薬組成物。
【請求項７】
腎不全を予防又は治療するための医薬を製造するための、
ＩＬ−６と、可溶性ＩＬ−６受容体（ｓＩＬ−６Ｒ）とを含む複合体、又はこの生物活性類似体、断片若しくは塩；
該複合体、又は該生物活性類似体若しくは該断片をコードする単離ポリヌクレオチド；
該単離ポリヌクレオチドを含む発現ベクター；或いは
該発現ベクターでトランスフェクトした宿主細胞の使用。
【請求項８】
前記ＩＬ−６とｓＩＬ−６Ｒとを含む複合体が、Ｈｙｐｅｒ−ＩＬ−６である、請求項７に記載の使用。
【請求項９】
前記腎不全が、急性腎不全、慢性腎不全、及び末期腎不全からなる群から選択される、請求項７又は８に記載の使用。
【請求項１０】
前記急性腎不全が、抗生物質、抗真菌剤、放射性造影剤、造影剤、化学療法剤、金属、有機溶媒、及び四塩化炭素からなる群から選択される、薬剤物質、診断用物質、又は毒性物質の使用又はそれへの曝露から生じる、請求項９に記載の使用。
【請求項１１】
前記急性腎不全が、ミオグロビン尿症横紋筋融解症、ヘモグロビン尿症、アテローム塞栓症、腎動脈閉塞、血管炎、溶血性尿毒症症候群、血栓溶解血小板減少性紫斑病、ヴェグナー肉芽腫症、全身性エリテマトーデス、ヘノッホ−シェーンライン紫斑病、グッドパスチャー症候群、急性糸球体腎炎、急性過敏性間質性腎炎、高カルシウム血症、尿路閉塞、急性尿酸腎症、腎盂腎炎、乳頭壊死、肝腎障害症候群、高血圧、細菌性敗血症、全身性炎症ショック、真菌血症、急性ウイルス性疾患、重度の体液量減少、火傷、虚血再灌流、産後合併症、及び外科的処置からなる群から選択される疾患、障害、又は状態から生じる、請求項９に記載の使用。
【請求項１２】
前記発現ベクターが、裸ＤＮＡ分子、ＲＮＡ分子、プラスミド及びウイルスベクターからなる群から選択される、請求項７から１１の何れか１項に記載の使用。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
５−(４−メチル−１Ｈ−イミダゾル−１−イル)−３−(トリフルオロメチル)−ベンゼンアミン(Ｉ)の製造方法であって、４−メチル−１Ｈ−イミダゾール、またはその塩と、式：
【化１】
2008546645.tif 000001
〔式中、
Ｘはハロゲン、スルホネートまたはＮＯ２であり；そして
ＹはＮＨ２、ＮＯ２、ハロゲンまたはＣＮである。〕
の化合物を、適当な塩基または適当な遷移金属触媒またはそれらの組み合わせの存在下、適当な溶媒中で反応させることを含む、方法。
【請求項２】
ＹがＮＯ２であり；そして
Ｘがハロゲン、スルホネートまたはＮＯ２であり：
工程ａ)適当な塩基を使用して、適当な溶媒中、４−メチル−１Ｈ−イミダゾール、またはその塩と、式：
【化２】
2008546645.tif 000002
の化合物を反応させて、４−メチル−１−(３−ニトロ−５−トリフルオロメチル−フェニル)−１Ｈ−イミダゾールを製造し；そして
工程ｂ)得られる４−メチル−１−(３−ニトロ−５−トリフルオロメチル−フェニル)−１Ｈ−イミダゾールを、遷移金属触媒を使用して適当な極性溶媒中で還元する
工程を含む、請求項１記載の方法。
【請求項３】
ＹがＮＯ２であり；そして
ＸがＢｒまたはＩであり、ここで、
工程ａ)が適当な溶媒中の遷移金属触媒および適当な塩基の使用を含み；そして
工程ｂ)が適当な極性溶媒中の遷移金属触媒を使用した還元工程を含む、
請求項２記載の方法。
【請求項４】
ＹがＮＯ２であり；そして
ＸがＦであり、そして
工程ａ)が適当な溶媒中の適当な塩基の高温での使用を含み；そして
工程ｂ)が適当な極性溶媒中の遷移金属触媒を使用した還元工程を含む、
請求項２記載の方法。
【請求項５】
工程ａ)を約７０°乃至約１３０℃で行う、請求項２から４のいずれかに記載の方法。
【請求項６】
塩基がカリウムアルコキシド、ナトリウムアルコキシド、リチウムアルコキシド、水素化カリウム、水素化ナトリウム、またはリチウム、ナトリウム、カリウムもしくはセシウムの炭酸塩である、請求項２から４のいずれかに記載の方法。
【請求項７】
工程ａ)で使用する溶媒がＮ,Ｎ−ジメチルホルムアミド、Ｎ,Ｎ−ジメチルアセトアミドまたは１−メチル−２−ピロリジノンである、請求項２から４のいずれかに記載の方法。
【請求項８】
工程ｂ)で使用する極性溶媒がエタノールである、請求項２から４のいずれかに記載の方法。
【請求項９】
５−(４−メチル−１Ｈ−イミダゾル−１−イル)−３−(トリフルオロメチル)−ベンゼンアミン(Ｉ)の製造方法であって、４−メチル−１Ｈ−イミダゾールと３−ブロモ−５−トリフルオロメチル−フェニルアミンを適当な塩基および適当な溶媒中で反応させることを含む、方法。
【請求項１０】
５−(４−メチル−１Ｈ−イミダゾル−１−イル)−３−(トリフルオロメチル)−ベンゼンアミン(Ｉ)を製造する方法であって、以下の反応：
【化３】
2008546645.tif 000003
を、適当な溶媒中で適当な塩基を使用して行うことを含む、方法。
【請求項１１】
５−(４−メチル−１Ｈ−イミダゾル−１−イル)−３−(トリフルオロメチル)−ベンゼンアミン(Ｉ)の製造方法であって、メチル−１Ｈ−イミダゾール(imaidazole)と３−フルオロ−５−トリフルオロメチル−フェニルアミンを適当な塩基および適当な溶媒中で反応させることを含む、方法。
【請求項１２】
４−メチル−１−(３−ニトロ−５−トリフルオロメチル−フェニル)−１Ｈ−イミダゾールを塩に変換する方法であって：
ａ)４−メチル−１−(３−ニトロ−５−トリフルオロメチル−フェニル)−１Ｈ−イミダゾールを、酸またはその溶液で水または有機溶媒中で処理し；そして
ｂ)得られる塩を単離する
ことを含む、方法。
【請求項１３】
化合物４−メチル−１−(３−ニトロ−５−トリフルオロメチル−フェニル)−１Ｈ−イミダゾールおよびその塩。
【請求項１４】
酸がメタンスルホン酸である、請求項１２記載の方法。
【請求項１５】
マイクロ波場を使用する、請求項１記載の方法。
【請求項１６】
高い選択性を得るための速い加熱および冷却サイクルを、バッチ容器中の付加的熱交換キャパシティにより、または連続的反応装置により達成する、請求項１記載の方法。
【手続補正２】
【補正対象書類名】明細書
【補正対象項目名】００２３
【補正方法】変更
【補正の内容】
【００２３】
第一の態様について、強乃至弱塩基は好ましくは炭酸塩、アルカノエート(alkonate)または炭酸水素塩であり；より好ましくはカリウムアルコキシド、ナトリウムアルコキシド、リチウムアルコキシド、水素化カリウム、水素化ナトリウム、またはリチウム、ナトリウム、カリウムもしくはセシウムの炭酸塩である。
【手続補正３】
【補正対象書類名】明細書
【補正対象項目名】００４６
【補正方法】変更
【補正の内容】
【００４６】
実施例８  ５−(４−メチル−１Ｈ−イミダゾル−１−イル)−３−トリフルオロメチル−フェニルアミン(Ｉ)
３−(４−メチル−イミダゾル−１−イル)−５−トリフルオロメチル−ベンズアミド(XXIII)(１ｇ、３.７１mmol)のｔ−ブタノール(１０mL)および水(３.８mL)中の溶液を次亜塩素酸ナトリウム(３.７mL、９％)および水酸化ナトリウム(１.５mL、３０％)の水性溶液で処理する。反応混合物を１６時間、６０℃で撹拌し、その後亜硫酸水素ナトリウム(２mL、１０％)溶液を添加する。有機相を分離し、トルエン(５mL)および水(２.５mL)で処理し、次いで水性ＨＣｌ(２Ｍ、５mL)を添加する。得られる懸濁液を１.５時間撹拌し、０℃に冷却し、濾過する。フィルター・ケーキをトルエン(３mL)で洗浄し、真空で乾燥させて、０.３９ｇの表題化合物の塩酸塩(４３.２％)をオレンジ色結晶として得る(ＨＰＬＣにより９９.７面積％)。アニリンの遊離のために、生成物を炭酸水素カリウム塩(２.２mL、５％)のエタノール(１mL)中の水性溶液で４５℃で０.５時間処理する。反応混合物を次いで０℃に１時間以内に冷却し、２時間撹拌する。生成物を濾過により単離し、エタノール(２×０.７５mL)で洗浄し、真空で５０℃で乾燥させて、０.２７ｇの表題化合物(Ｉ)(３２.８％)をオフホワイト色結晶として得る(％ＨＰＬＣにより＞９９.９面積)。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
ＲＦＩＤモジュールを含んで成るシステムであって：前記ＲＦＩＤモジュールは、
ＲＦＩＤ情報を保存するメモリと、
第１周波数での第１信号及び第２周波数での第２信号からなる送信されたエネルギを受け取るエネルギ結合器と、
前記第１信号と第２信号を混合して第３周波数での第３信号を発生させるミキシング素子とを備え、前記エネルギ結合器は前記第３信号をＥＡＳ検出システムに送信し、
前記ＲＦＩＤモジュ−ルはＥＡＳタグとして機能し、前記第１信号と第２信号を受信、混合し、前記第３信号を発生させ、前記ＲＦＩＤモジュ−ルに供給される電力の電圧に無関係に前記第３信号を前記ＥＡＳ検出システムに送信することを特徴とするシステム。
【請求項２】
請求項１のシステムであって、
管理区域において前記第１周波数での前記第１信号を含む前記エネルギを送信する第１送信機と；
前記管理区域において前記第１及び第２信号がオーバラップする場を形成するカバレージ区域において前記第２周波数での前記第２信号を含む前記エネルギを送信する第２送信機と；
をさらに含んで成るシステム。
【請求項３】
請求項１のシステムであって、前記第３信号を受信し、前記管理区域内の前記ＲＦＩＤモジュールの存在を検出する受信機をさらに含んで成るシステム。
【請求項４】
請求項１のシステムであって、前記エネルギ結合器がインデューサとキャパシタを含んで成るシステム。
【請求項５】
請求項１のシステムであって、前記第１信号は電磁信号であり、前記第２信号が磁場であるシステム。
【請求項６】
請求項１のシステムであって、前記第１周波数は前記第２周波数より大きいシステム。
【請求項７】
請求項１のシステムであって、前記第１周波数は、約１３．５６ＭＨｚと約９１５ＭＨｚから成るグループから選択されるシステム。
【請求項８】
請求項１のシステムであって、前記第２周波数は、約８．２ＭＨｚ、約１１１．５ｋＨｚ、及び約５８ｋＨｚから成るグループから選択されるシステム。
【請求項９】
請求項１のシステムであって、第３前記周波数は、約５．３６ＭＨｚと１３．５０２ＭＨｚから成るグループから選択されるシステム。
【請求項１０】
請求項１のシステムであって、前記ミキシング素子は非線形素子を含んで成るシステム。
【請求項１１】
請求項10のシステムであって、前記非線形素子は、変調インピーダンス、同調キャパシタ、可変容量ダイオード（バラクタ）、金属酸化膜半導体（ＭＯＳ）キャパシタ、相補形金属酸化膜半導体キャパシタ、バラクタダイオードキャパシタ、交流−直流変換器、整流器、ダイオード、バイポーラ接合トランジスタ、電場効果トランジスタ、磁気要素、及び非線型共振器から成るグループから選択されるシステム。
【請求項１２】
請求項１のシステムであって、前記エネルギ結合器はダイポールアンテナと整合回路を含んで成るシステム。
【請求項１３】
請求項１のシステムであって、前記第１信号は電磁信号であり、前記第２信号が磁場であるシステム。
【請求項１４】
請求項１のシステムであって、前記第２周波数は、６５０−９５０Ｈｚの周波数での信号によってＦＳＫ変調されているシステム。
【請求項１５】
それぞれ第１及び第２周波数での第１及び第２信号をＲＦＩＤモジュールにおいて受信し；
前記第１及び第２信号を前記ＲＦＩＤモジュールで混合し；
第３周波数での第３信号を発生させ；
第３前記信号をＥＡＳ検出システムに送信する；
ことを含み、
前記ＲＦＩＤモジュ−ルはＥＡＳタグとして機能し、前記第１信号と第２信号を受信、混合し、前記第３信号を発生させ、前記ＲＦＩＤモジュ−ルに供給される電力の電圧に無関係に前記第３信号を前記ＥＡＳ検出システムに送信することを特徴とする方法。
【請求項１６】
請求項15の方法であって：前記第１周波数で前記第１信号を送信し；前記第２周波数で前記第２信号を送信する；ことをさらに含んで成る方法。
【請求項１７】
請求項16の方法であって、前記第３周波数で前記第３信号を受信し；前記ＲＦＩＤモジュールの存在を検出する；ことをさらに含んで成る方法。
【請求項１８】
請求項15の方法であって、前記第１周波数での前記第１信号を受信することは、約１３．５６ＭＨｚと約９１５ＭＨｚから成るグループから選択された周波数で前記第１信号を受信することを含んで成る方法。
【請求項１９】
請求項15の方法であって、前記第２周波数で前記第２信号を受信することは、約８．２ＭＨｚ、約１１１．５ｋＨｚ、及び約５８ｋＨｚから成るグループから選択された周波数で前記第２信号を受け取ることを含んで成る方法。
【請求項２０】
請求項15の方法であって、前記第３周波数での前記第３信号を受信することは約５．３６ＭＨｚと約１３．５０２ＭＨｚから成るグループから選択された周波数で前記第３信号受信することを含んで成る方法。
【請求項２１】
請求項15の方法であって、前記第２周波数をＦＳＫ変調することをさらに含んで成る方法。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008546652.tif 000001
式中、
Ｒはメチル、エチル、プロピル、イソプロピル、メトキシおよびエトキシから選択され；
Ｒ’は水素またはメチルであり；および
ｎは０または１である、
で表わされる化合物。
【請求項２】
シクロヘキシリデン−ｏ−トリル−アセトニトリル、シクロペンチリデン−ｏ−トリル−アセトニトリル、シクロヘキシリデン−（２−メトキシ−フェニル）−アセトニトリル、２−（２−メチルシクロヘキシリデン）−２−ｏ−トリルアセトニトリル、シクロヘキシリデン−（２−エチル−フェニル）−アセトニトリルおよびシクロヘキシリデン−（２−イソプロピル−フェニル）−アセトニトリルからなる群から選択される、請求項１に記載の化合物。
【請求項３】
請求項１または２に記載の式（Ｉ）で表わされる化合物を含む、フレグランス組成物。
【請求項４】
請求項１または２に記載の式（Ｉ）で表わされる化合物の、嗅覚器官に許容し得る量の添加によって、フレグランス適用品を改善、増強または修飾する方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2008546654.tif 000001
［式中、Ｘは水素、ハロゲン、ニトロ、Ｃ１−６アルキルチオ、Ｃ１−６アルキルスルフィニル、Ｃ１−６アルキルスルホニル又はＣ１−６アルキルスルホニルオキシを示し、
Ｙはハロゲン又はＣ１−６アルキルを示し、
Ｒ１はＣ１−６アルキル、Ｃ１−６アルキルチオ−Ｃ１−６アルキル、Ｃ１−６アルキルスルフィニル−Ｃ１−６アルキル又はＣ１−６アルキルスルホニル−Ｃ１−６アルキルを示し、
Ｒ２は水素、Ｃ１−６アルキル又はＣ１−６ハロアルキルを示し、
Ｒ３は水素を示し、
ＷはＣＨ又はＮを示し、および
Ｑは置換されたフェニル又は置換されたピリジルを示し、ここで、置換基は少なくとも１個のＣ１−６ハロアルキルを示す］で表されるベンズアニリド類。
【請求項２】
Ｘがハロゲン、ニトロ、Ｃ１−４アルキルチオ、Ｃ１−４アルキルスルフィニル、Ｃ１−４アルキルスルホニル又はＣ１−４アルキルスルホニルオキシを示し、
Ｙがハロゲン又はＣ１−４アルキルを示し、
Ｒ１がＣ１−４アルキル、Ｃ１−４アルキルチオ−Ｃ１−４アルキル、Ｃ１−４アルキルスルフィニル−Ｃ１−４アルキル又はＣ１−４アルキルスルホニル−Ｃ１−４アルキルを示し、
Ｒ２が水素、Ｃ１−４アルキル又はＣ１−４ハロアルキルを示し、
Ｒ３が水素を示し、
ＷがＣＨ又はＮを示し、および
Ｑが置換されたフェニル又は置換されたピリジルを示し、ここで、置換基は少なくともＣ１−４ハロアルキルを示す、請求項１に記載の化合物。
【請求項３】
請求項１または２に記載の式（Ｉ）の少なくとも１つのベンズアニリドを含むことを特徴とする、殺虫性組成物。
【請求項４】
有害な昆虫に対抗するための請求項１または２に記載の式（Ｉ）のベンズアニリドの使用。
【請求項５】
種子の処理のための請求項３に記載の組成物の使用。
【請求項６】
トランスジェニック植物の処理のための請求項３に記載の組成物の使用。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
通気可能な容器であって、
選択的に取り外し可能な蓋と、
内部空洞を有する容器ボトムと、
を備え、
前記蓋は中央パネル及び該中央パネルを包囲する周辺シールリップを含み、前記周辺シールリップは蓋チャネルを形成する略逆U字形の断面を有し、前記周辺リールリップは通気ボスを含み、
前記容器ボトムは容器リムで終端する側壁を有し、前記容器リムは前記蓋チャネル内に配置されるように適応され、前記容器リムは通気ボスシートを含み、前記容器リムが前記蓋チャネル内に配置され前記蓋及び容器が第１の非通気位置にあるとき、前記ボスシートが前記通気ボスを受容するように適応され、それにより前記蓋と前記容器のシール係合が有効となり、前記蓋が前記容器に関して第２の通気位置に回転されるとき、前記通気ボスは前記通気ボスシートから離れて配置され、前記容器リムが再配置され、前記容器の内部空洞から容器の外部に向かって前記蓋チャネル内に空気が通気可能な通路がもたらされる、ことを特徴とする容器。
【請求項２】
前記容器リムが前記蓋チャネル内に配置されかつ前記蓋が前記第２の位置にあるとき、前記通気ボスに隣接する領域を除き、容器は実質的に漏れない状態にある、ことを特徴とする請求項１記載の容器。
【請求項３】
前記通気ボスは実質的に円形である、ことを特徴とする請求項１記載の容器。
【請求項４】
前記蓋は少なくとも一つのグリップタブを含み、前記通気ボスは前記グリップタブに近接して配置される、ことを特徴とする請求項１記載の容器。
【請求項５】
前記蓋は熱成形されたプラスチックから成る、ことを特徴とする請求項１記載の容器。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
式Ｉ又はＩＩの化合物、及び医薬として許容されるその塩。
【化１】
2008546694.tif 000001
［式中、
Ｘは、Ｓ、Ｎ又は含窒素複素環であり（前記複素環中の窒素原子は、Ｒ１及びＲ２に結合されている）；
Ｗは、Ｃｌ、Ｆ、ＯＨ、ＯＮＯ２、ＯＣＯ−アルキル、ＯＣＯ−アリール、ＣＮ、Ｓ−アルキル及びＳ−アリールからなる群から選択され；
Ｃｙｃｌは、シクロアルキルであり、又は炭素原子がＳ若しくはＯで置換されたシクロアルキルであり；
Ｙは、不存在であるか、又は−Ｚ（ＣＨ２）ｎ｛ｎは０〜６であり、及びＺはＳ、Ｏ、Ｎ又はＮ−アルキルである｝であり；
Ｒ１及びＲ２は、水素、アリール、低級アルキル及び置換された低級アルキルからなる群から独立に選択され、若しくは不存在であり、又は一緒になってＣ、Ｏ、Ｓ及びＮから選択される２〜１０個の原子を有する非芳香環を形成し；
Ｒ３は、
【化２】
2008546694.tif 000002
｛Ｒ６は、１〜１２個の炭素原子のアルキル基、アリールアルキル、又は（炭素鎖中、Ｏ、Ｓ及びＮから選択される原子で置換された１〜３個のＣＨ２基を有する）置換されたアリールアルキルである｝であり；
Ｒ４及びＲ５は、独立に、Ｈ、Ｃｌ又はＦである。］
【請求項２】
サルメテロール−ホスファート−１６，１７−［（シクロヘキシルメチレン）ビス（オキシ）］−９−フルオロ−１１−ヒドロキシ−２１−（４−メチルピペラジニウム）−プレグナ−１，４−ジエン−３，２０−ジオン［１１β，１６α（Ｒ）］；
アルブテロール−ホスファート−１６，１７−［（シクロヘキシルメチレン）ビス（オキシ）］−９−フルオロ−１１−ヒドロキシ−２１−（４−メチルピペラジニウム）−プレグナ−１，４−ジエン−３，２０−ジオン［１１β，１６α（Ｒ）］；
サルメテロール−ホスファート−１６，１７−［（シクロヘキシルメチレン）ビス（オキシ）］−９−フルオロ−１１−ヒドロキシ−２１−メチルスルホニウム−プレグナ−１，４−ジエン−３，２０−ジオン［１１β，１６α（Ｒ）］；
アルブテロール−ホスファート−１６，１７−［（シクロヘキシルメチレン）ビス（オキシ）］−９−フルオロ−１１−ヒドロキシ−２１−メチルスルホニウム−プレグナ−１，４−ジエン−３，２０−ジオン［１１β，１６α（Ｒ）］；
サルメテロール−ホスファート−１６，１７−［（テトラヒドロ−チオピラニリウム）ビス（オキシ）］−９−フルオロ−１１，２１−ジヒドロキシ−プレグナ−１，４−ジエン−３，２０−ジオン［１１β，１６α（Ｒ）］；
アルブテロール−ホスファート−１６，１７−［（テトラヒドロ−チオピラニリウム）ビス（オキシ）］−９−フルオロ−１１，２１−ジヒドロキシ−プレグナ−１，４−ジエン−３，２０−ジオン［１１β，１６α（Ｒ）］；
サルメテロール−ホスファート−１６，１７−［ピリジニウム−３−メチレン）ビス（オキシ）］−９−フルオロ−１１，２１−ジヒドロキシプレグナ−１，４−ジエン−３，２０−ジオン［１１β，１６ａ］；
アルブテロール−ホスファート−１６，１７−［ピリジニウム−３−メチレン）ビス（オキシ）］−９−フルオロ−１１，２１−ジヒドロキシプレグナ−１，４−ジエン−３，２０−ジオン［１１β，１６α］；
サルメテロール−ホスファート−１６，１７−［ピリジニウム−３−メチレン）ビス（オキシ）］−９−フルオロ−１１−ヒドロキシ−２１−シアノ−プレグナ−１，４−ジエン−３，２０−ジオン［１１β，１６α］；及び
アルブテロール−ホスファート−１６，１７−［ピリジニウム−３−メチレン）ビス（オキシ）］−９−フルオロ−１１−ヒドロキシ−２１−シアノ−プレグナ−１，４−ジエン−３，２０−ジオン［１１β，１６α］
からなる群から選択される、請求項１に記載の化合物。
【請求項３】
式ＩＩＩの化合物、又は医薬として許容されるその塩。
【化７】
2008546694.tif 000003
［式中、
Ａは、シクロアルキル（Ｓ、Ｏ又はＮＲ１により場合によって置換されている炭素原子を有する）、ピリジル又は置換されたピリジルであり；
Ｂは、ＮＲ１Ｒ２、イミダゾリル、ＣＮ、ＳＣＮ、ＳＲ１、Ｃｌ、Ｆ、ＯＨ、ＯＮＯ２、ＯＣＯ−アルキル及びＯＣＯ−アリールからなる群から選択され；
Ｒ１及びＲ２は、水素、アリール、ヘテロアリール、低級アルキル及び置換された低級アルキルからなる群から独立に選択され、若しくは不存在であり、又は一緒になってＣ、Ｏ、Ｓ及びＮから選択される２〜１０個の原子を有する非芳香環を形成する。］
【請求項４】
１６，１７−［（シクロヘキシルメチレン）ビス（オキシ）］−９−フルオロ−１１−ヒドロキシ−２１−（４−メチルピペラジン−イル）プレグナ−１，４−ジエン−３，２０−ジオン［１１β，１６α（Ｒ）］；
１６，１７−［（シクロヘキシルメチレン）ビス（オキシ）］−９−フルオロ−１１−ヒドロキシ−２１−メチルチオ−プレグナ−１，４−ジエン−３，２０−ジオン［１１β，１６α（Ｒ）］；
１６，１７−［（テトラヒドロ）−チオピラン−４−イル］ビス（オキシ）］−９−フルオロ−１１，２１−ジヒドロキシ−プレグナ−１，４−ジエン−３，２０−ジオン［１１β，１６α（Ｒ）］；
１６，１７−［ピリジニル−３−メチレン）ビス（オキシ）］−９−フルオロ−１１，２１−ジヒドロキシプレグナ−１，４−ジエン−３，２０−ジオン［１１β，１６α（Ｒ）］；及び
１６，１７−［ピリジニル−３−メチレン）ビス（オキシ）］−９−フルオロ−１１−ヒドロキシ−２１−シアノ−プレグナ−１，４−ジエン−３，２０−ジオン［１１β，１６α（Ｒ）］
からなる群から選択される、請求項３に記載の化合物。
【請求項５】
肺炎又は気管支収縮の予防及び治療のためのエアロゾル製剤であって、前記製剤は、生理的に適合性及び耐容性のあるマトリックス中でのエアロゾル送達用の乾燥粉末として調製された、請求項１〜４のいずれか１項に記載の少なくとも１つの相互プロドラッグを約１０μｇ〜約１，０００μｇ含み、前記製剤は、主に１〜５μのエアロゾル粒子を作製可能である乾燥粉末吸入器を用いて投与されるよう適合されている、前記製剤。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
（Ａ）抗菌活性を提供するために十分な量の一価アルコールと、；
（Ｂ）ジメチコン界面活性剤を含む界面活性剤と、
（Ｃ）安定性を提供するため、又は組成物から形成される泡の安定性を改善するために十分な量のビルダーとを含む組成物。
【請求項２】
２３℃における発泡前の組成物の粘度が、約０．０００５Ｐａ・ｓ（０．５ｃｐｓ）〜約０．１Ｐａ・ｓ（１００ｃｐｓ）の範囲内である、請求項１に記載の組成物。
【請求項３】
請求項１に記載の組成物を含む皮膚の消毒・殺菌剤。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
式１：
【化１】
2008546669.tif 000001
［式中、
Ｒ１は、Ｏ、（Ｈ、Ｈ）、（Ｈ、ＯＨ）、またはＮＯＲ（Ｒは、水素、（Ｃ１〜６）アルキルまたは（Ｃ１〜６）アシルである。）であり、
Ｒ２は、水素、メチル、エチルまたはエテニルであり、
Ｒ３は、水素、メチル、エチル、エテニル、フルオロまたはクロロであり、
Ｒ４は、メチルまたはエチルであり、
Ｒ５は、水素、メチルまたはエチルであり、
Ｒ６は、水素、メチル、エチル、（Ｃ２〜３）アルケニルまたは（Ｃ２〜３）アルキニルであり、
Ｒ７は、水素または（Ｃ１〜１５）アシルであり、
およびＲ５またはＲ６の少なくとも１つは、水素である。］
を有する化合物またはそれらの薬学的に許容できる塩。
【請求項２】
Ｒ１が、Ｏまたは（Ｈ、ＯＨ）であり、
Ｒ２が、水素、メチル、エチルであり、
Ｒ３が、水素、メチルであり、
Ｒ４が、メチルであり、
Ｒ５が、水素、メチルであり、
Ｒ６が、水素、メチル、エチルまたは（Ｃ２〜３）アルキニルであり、
Ｒ７が、水素または（Ｃ１〜１５）アシルであることを特徴とする、請求項１に記載の化合物。
【請求項３】
Ｒ２が、水素、メチルであり、
Ｒ３が、水素であり、
Ｒ５が、水素であり、
Ｒ６が、水素、メチル、エチルまたはエチニルであることを特徴とする、請求項２に記載の化合物。
【請求項４】
Ｒ１が、Ｏであることを特徴とする、請求項１から３のいずれか一項に記載の化合物。
【請求項５】
（７α、１７ａβ）−１７ａ−ヒドロキシ−７−メチル−Ｄ−ホモエストラ−４，１４−ジエン−３−オンであることを特徴とする、請求項４に記載の化合物。
【請求項６】
（７α、１７ａβ）−１７ａ−ヒドロキシ−７，１７ａ−ジメチル−Ｄ−ホモエストラ−４，１４−ジエン−３−オンであることを特徴とする、請求項４に記載の化合物。
【請求項７】
（１７ａβ）−１７ａ−ヒドロキシ−１７ａ−メチル−Ｄ−ホモエストラ−４，１４−ジエン−３−オンであることを特徴とする、請求項４に記載の化合物。
【請求項８】
請求項１から７のいずれか一項に記載の化合物を含む、医薬組成物。
【請求項９】
アンドロゲンレベルを上昇させるための治療用薬剤の製造のための、請求項１から７のいずれか一項に記載の化合物の使用。